(57)【要約】      （修正有）【課題】ラベルカッターで切断したラベルが該ラベルカッターに巻付いてしまうのを機構上無理なく防止できるラベル貼着装置を提供する。【解決手段】ロールラベル用のリールと、該リールに巻回されたロールラベルを引出すフィードローラと、該フィードローラで引出したロールラベルを所定長さに切断するラベルカッターと、該ラベルカッターで切断したラベルをその接着面を内側にして搬送するデリバリーローラと、該デリバリーローラからラベルを受取り、その接着面を外側にして搬送し、容器に貼着する貼付ドラムと、該貼付ドラムで搬送されるラベルの接着面に加熱ガスを吹付けて該接着面に塗布された熱溶着性接着剤を活性化させる加熱手段とを備えるラベル貼着装置において、更にラベルカッターと加熱手段とを仕切る仕切板と、該仕切板で仕切ったラベルカッターに冷却ガスを吹付けて該ラベルカッターを冷却する冷却手段とを装備した。【選択図】図１
2007153382.tif 000002
【特許請求の範囲】
【請求項１】
ロールラベル用のリールと、該リールに巻回されたロールラベルを引出すフィードローラと、該フィードローラで引出したロールラベルを所定長さに切断するラベルカッターと、該ラベルカッターで切断したラベルをその接着面を内側にして搬送するデリバリーローラと、該デリバリーローラからラベルを受取り、その接着面を外側にして搬送し、容器に貼着する貼付ドラムと、該貼付ドラムで搬送されるラベルの接着面に加熱ガスを吹付けて該接着面に塗布された熱溶着性接着剤を活性化させる加熱手段とを備えるラベル貼着装置において、更にラベルカッターと加熱手段とを仕切る仕切板と、該仕切板で仕切ったラベルカッターに冷却ガスを吹付けて該ラベルカッターを冷却する冷却手段とを備えることを特徴とするラベル貼着装置。
【請求項２】
加熱手段を一つ備える請求項１記載のラベル貼着装置。
【請求項３】
リール、フィードローラ及びラベルカッターの組を２組以上備え、これらのなかで最も加熱手段に近い組のラベルカッターと加熱手段とを仕切板で仕切った請求項１又は２記載のラベル貼着装置。
【請求項４】
冷却手段の冷却ガスの吹出ノズルを仕切板の加熱手段側にラベルカッターを臨んで設け、該吹出ノズルから該ラベルカッターに冷却ガスを吹付けるようにした請求項１〜３のいずれか一つの項記載のラベル貼着装置。
【請求項５】
ラベルカッターが、円周面上から複数の切り刃が所定間隔で突設された回転刃と、該切り刃を円周面上で受ける受け刃とを備え、該受け刃に冷却ガスを吹付けるようにした請求項１〜４のいずれか一つの項記載のラベル貼着装置。
【発明の詳細な説明】
【技術分野】
【０００１】
本発明はラベル貼着装置に関する。瓶、缶、プラスチック容器等の胴部、肩部、首部等にラベルを貼着するとき、ラベル貼着装置が使用される。ラベル貼着装置には様々な形式のものがあるが、その一つとして、ラベルの接着面を加熱して該接着面に塗布された熱溶着性接着剤を活性化させることにより該ラベルを容器に貼着するようにしたものがある。本発明はかかるラベル貼着装置の改良に関する。
【背景技術】
【０００２】
従来、前記のようなラベル貼着装置として、ロールラベル用のリールと、該リールに巻回されたロールラベルを引出すフィードローラと、該フィードローラで引出したロールラベルを所定長さに切断するラベルカッターと、該ラベルカッターで切断したラベルをその接着面を内側にして搬送するデリバリーローラと、該デリバリーローラからラベルを受取り、その接着面を外側にして搬送し、容器に貼着する貼付ドラムと、該貼付ドラムで搬送されるラベルの接着面を加熱して該接着面に塗布された熱溶着性接着剤を活性化させる加熱手段とを備えるものが知られている（例えば特許文献１及び２参照）。これら従来のラベル貼着装置において加熱手段は通常、ラベルの接着面にヒータで加熱した加熱空気を吹付けて該接着面に塗布された熱溶着性接着剤を活性化させるようになっている。
【０００３】
ところが、かかる従来のラベル貼着装置には、ラベルカッターで切断したラベルがデリバリーローラに受取られず、該ラベルカッターに巻付いてしまうことがしばしば発生するという問題がある。ラベルカッターでロールラベルを繰り返し切断すると、該ラベルカッターの表面には該ロールラベルの接着面に塗布された熱溶着性接着剤の粉状物が少しづつ付着し、次第に蓄積する。かかるラベルカッターに前記の加熱ガスが当たると、これによって熱溶着性接着剤の粉状物が活性化し、切断したラベルをラベルカッターに巻付けてしまうのである。ラベルカッターで切断したラベルが該ラベルカッターに巻付いてしまうという以上のような問題は、リール、フィードローラ及びラベルカッターの組を２組以上備え、機構上、かかる複数の組のなかでいずれかの組のラベルカッターが加熱ガスの吹出し口の近くに位置することとなるラベル貼着装置において大きな問題となる。従来のラベル貼着装置のなかには、デリバリーローラと加熱手段とを仕切板で仕切り、仕切板で仕切ったデリバリーローラに冷却ガスを吹付けるようにしたものもある（特許文献２）。しかし、加熱手段の加熱ガスの吹出口は貼付ドラムに近接しており、かかる貼付ドラムにデリバリーローラが近接しているため、加熱ガスの吹出口とデリバリーローラとの間を仕切板で効果的に仕切るのは、機構上の無理があって、実際のところ誠に難しい。
【特許文献１】特開平８−１０４３１２号公報
【特許文献２】特開平１１−９１７５１号公報
【発明の開示】
【発明が解決しようとする課題】
【０００４】
本発明が解決しようとする課題は、ラベルの接着面に加熱ガスを吹付けて該接着面に塗布された熱溶着性接着剤を活性化させることにより該ラベルを容器に貼着するようにしたラベル貼着装置において、ラベルカッターで切断したラベルが該ラベルカッターに巻付いてしまうのを機構上無理なく防止できるラベル貼着装置を提供することにある。
【課題を解決するための手段】
【０００５】
前記の課題を解決する本発明は、ロールラベル用のリールと、該リールに巻回されたロールラベルを引出すフィードローラと、該フィードローラで引出したロールラベルを所定長さに切断するラベルカッターと、該ラベルカッターで切断したラベルをその接着面を内側にして搬送するデリバリーローラと、該デリバリーローラからラベルを受取り、その接着面を外側にして搬送し、容器に貼着する貼付ドラムと、該貼付ドラムで搬送されるラベルの接着面に加熱ガスを吹付けて該接着面に塗布された熱溶着性接着剤を活性化させる加熱手段とを備えるラベル貼着装置において、更にラベルカッターと加熱手段とを仕切る仕切板と、該仕切板で仕切ったラベルカッターに冷却ガスを吹付けて該ラベルカッターを冷却する冷却手段とを備えることを特徴とするラベル貼着装置に係る。
【０００６】
本発明に係るラベル貼着装置も、従来のラベル貼着装置と同様、ロールラベル用のリールと、該リールに巻回されたロールラベルを引出すフィードローラと、該フィードローラで引出したロールラベルを所定長さに切断するラベルカッターと、該ラベルカッターで切断したラベルをその接着面を内側にして搬送するデリバリーローラと、該デリバリーローラからラベルを受取り、その接着面を外側にして搬送し、容器に貼着する貼付ドラムと、該貼付ドラムで搬送されるラベルの接着面に加熱ガスを吹付けて該接着面に塗布された熱溶着性接着剤を活性化させる加熱手段とを備えており、かかる加熱手段は通常、加熱器としてヒータを、また加熱用のガスとして空気を用い、ヒータと、該ヒータで加熱した空気を案内する供給筒と、該供給筒の先端部に取付けられた加熱空気の吹出口とを備えている。
【０００７】
本発明に係るラベル貼着装置は、ラベルカッターと加熱手段とを仕切る仕切板と、該仕切板で仕切ったラベルカッターに冷却ガスを吹付けて該ラベルカッターを冷却する冷却手段とを備えている。仕切板の位置はこれによってラベルカッターと加熱手段とを仕切ることになるのであれば特に制限されないが、機構上の無理をできるだけ少なくするため、貼付ドラムから離れた位置であってラベルカッターに近い位置とするのが好ましい。また冷却手段の冷却ガスの発生方法や種類も特に制限されないが、通常は冷却器により結果として冷却された空気を用いる。かかる冷却器はラベル貼着装置に取付けてもよいし、ラベル貼着装置とは別に設置してもよいが、前者の場合が好ましく、なかでも前記仕切板のラベルカッター側に取付けるのがより好ましい。いずれにしても、かかる冷却器はできるだけ小型のものとするのが好ましく、この意味で圧縮空気を高速回転させることにより冷気と熱気とに分ける方式のものを用いるのが好ましい。このような方式の冷却器は、例えばエアージェット（商品名、トラスコ中山社製）、ボルテックスクーラー、ボルッテクスチューブ、コールドエアガン及びスレッドガードクーラー（いずれも商品名、虹枝社製）等として市販されている。
【０００８】
本発明に係るラベル貼着装置によると、ラベルカッターとこれから離れた位置にある加熱手段とを仕切板で仕切るため、言い替えればラベルカッターとこれから離れた位置にある加熱手段の加熱ガスの吹出口、通常は加熱空気の吹出口とを仕切板で仕切るため、仕切板の取付けに機構上の無理がなく、かかる仕切板によってラベルカッターに加熱空気が当たるのを防止できる。一方でラベルカッターに加熱空気が当たるのを防止し、同時に他方で該ラベルカッターに冷却ガス、通常は冷却空気を吹付けて該ラベルカッターを冷却するため、該ラベルカッターに前記したような熱溶着性接着剤の粉状物が付着し、蓄積していても、これらが活性化することはなく、したがって該ラベルカッターで切断したラベルが該ラベルカッターに巻付いてしまうようなことは生じない。
【０００９】
本発明に係るラベル貼着装置において、加熱手段の数は特に制限されないが、一つとするのが好ましい。前記したように加熱手段は通常、加熱器としてのヒータと、該ヒータで加熱した空気を案内する供給筒と、該供給筒の先端部に取付けられた加熱空気の吹出口とを備え、かかる加熱空気の吹出口は貼付ドラムの周面に近接して配設されるが、以上のようなヒータ、供給筒及び吹出口の組を１組備えるのが好ましいのである。かかる加熱手段を二つ以上備えると、その数が増えるにしたがって、必然的にいずれかの組の加熱空気の吹出口がラベルカッターに近付くこととなるため、そのような吹出口から吹出した加熱空気が該ラベルカッターに当たり易くなる。
【００１０】
また本発明に係るラベル貼着装置において、それがリール、フィードローラ及びラベルカッターの組を２組以上備えるものである場合、これらの全ての組のラベルカッターに冷却ガス、通常は冷却空気を吹付けるようにすることもできるが、これらのなかで最も加熱手段に近い組のラベルカッターに冷却空気を吹付けるようにするのが好ましい。例えば容器の胴部、肩部及び首部の３箇所にラベルを貼着する場合、リール、フィードローラ及びラベルカッターの組は３組必要となる。これらの３組は、機構上、デリバリーローラの周回りに配設することとなるため、必然的にいずれかの組のラベルカッターが加熱手段の加熱空気の吹出口に近付き、そのようなラベルカッターが該吹出口から吹出した加熱空気に当たり易くなるので、かかるラベルカッターに冷却空気を吹付けて該ラベルカッターを冷却するようにするのである。
【００１１】
更に本発明に係るラベル貼着装置において、ラベルカッターの種類や形式等は特に制限されないが、円周面上から複数の切り刃が所定間隔で突設された回転刃と、該切り刃を円周面上で受ける受け刃とを１対として有するものが好ましい。かかるラベルカッターの場合、冷却ガスとして用いる通常は冷却空気の吹付け方向は、回転刃や受け刃が近接するデリバリーローラの円周方向からとするのが好ましく、なかでも仕切板の加熱手段側に該仕切板とデリバリーローラとの隙間からラベルカッターの回転刃又は受け刃を臨んで冷却空気の吹出ノズルを設け、該吹出ノズルから該ラベルカッターの回転刃又は受け刃に冷却空気を吹き付けるようにしたものがより好ましく、かかる冷却空気の吹付けを前記したような熱溶着性接着剤の粉状物が付着し、蓄積し易い受け刃に対して行なうようにしたものが特に好ましい。
【発明の効果】
【００１２】
本発明に係るラベル貼着装置によると、ラベルカッターで切断したラベルが該ラベルカッターに巻き付いてしまうのを機構上無理なく防止できる。
【実施例】
【００１３】
図１は本発明に係るラベル貼着装置を例示する平面図、図２は図１の部分拡大図である。図示したラベル貼着装置は、ロールラベルＡ，Ｂ用のリール１１，１２と、リール１１，１２に巻回されたロールラベルＡ，Ｂを引出すフィードローラ２１，２２と、フィードローラ２１，２２で引出したロールラベルＡ，Ｂを所定長さに切断するラベルカッター３１，４１と、ラベルカッター３１，４１で切断したラベルａ，ｂをその接着面を内側にして搬送するデリバリーローラ５１と、デリバリーローラ５１からラベルａ，ｂを受取り、その接着面を外側にして搬送し、図面では最上部で図示しない容器の胴部２箇所に貼着する貼付ドラム６１と、貼付ドラム６１で搬送されるラベルａ，ｂの接着面に加熱空気を吹付けて該接着面に塗布されている熱溶着性接着剤を活性化させる加熱手段７１とを備えている。そして更に、図示したラベル貼着装置は、ラベルカッター３１と加熱手段７１とを仕切る仕切板８１と、仕切板８１で仕切ったラベルカッター３１に冷却空気を吹付けてラベルカッター３１を冷却する冷却手段９１とを備えている。
【００１４】
図示したラベル貼着装置は加熱手段として加熱手段７１を一つ備えており、加熱手段７１は、ヒータ７２と、ヒータ７２で加熱した空気を案内する供給筒７３と、供給筒７３の先端部に取付けられた加熱空気の吹出口７４とを備えていて、吹出口７４は貼付ドラム６１の周面に沿って近接している。
【００１５】
また図示したラベル貼着装置は、リール、フィードローラ及びラベルカッターの組を、リール１１、フィードローラ２１及びラベルカッター３１の組と、リール１２、フィードローラ２２及びラベルカッター４１の組とで２組備えている。そしてこれらのなかで最も加熱手段７１に近いリール１１、フィードローラ２１及びラベルカッター３１の組のラベルカッター３１と加熱手段７１とを、より具体的にはラベルカッター３１と加熱手段７１の加熱空気の吹出口７４とを仕切板８１で仕切っている。
【００１６】
更に図示したラベル貼着装置では、ラベルカッター３１，４１は、円周面上から合計４枚の切り刃３２，４２が９０度の間隔で軸方向に沿って突設された回転刃３３，４３と、切り刃３２，４２を円周面上で受ける受け刃３４，４４とを１対として有している。一方、冷却手段９１は、仕切板８１のラベルカッター３１側に取付けられた冷却器９２と、冷却器９２に基端側が接続され且つ先端側が仕切板８１を貫通して加熱手段７１側に取出された冷却空気の供給管９３と、供給管９３の先端部に接続された冷却空気の吹出ノズル９４とを備えている。吹出ノズル９４は仕切板８１の加熱手段７１側に取付けられており、仕切板８１とデリバリーローラ４１との隙間からラベルカッター３３の受け刃３４を臨んでいる。
【００１７】
図示したラベル貼着装置では、加熱手段７１の加熱空気の吹出口７４と、ラベルカッターのなかでは最も吹出口７４に近いラベルカッター３１とを、貼付ドラム６１から離れた位置であってラベルカッター３１に近い位置に設けた仕切板８１で機構上の無理なく仕切り、かかる仕切板８１の加熱手段７１側にてラベルカッター３１のなかでも特に受け刃３４を臨んで設けた冷却空気の吹出ノズル９４から受け刃３４へ冷却空気を吹付けることにより、受け刃３４へ加熱空気の吹出口７４から吹出した加熱空気が当たるのを防止しつつ、受け刃３４を冷却している。
【図面の簡単な説明】
【００１８】
【図１】本発明に係るラベル貼着装置を例示する平面図。
【図２】図１の部分拡大図。
【符号の説明】
【００１９】
１１，１２  リール
２１，２２  フィードローラ
３１，４１  ラベルカッター
３２，４２  切り刃
３３，４３  回転刃
３４，４４  受け刃
５１        デリバリーローラ
６１        貼付ローラ
７１        加熱手段
７４        吹出口
８１        仕切板
９１        冷却手段
９４        吹出ノズル
【図１】
2007153382.tif 000003
【図２】
2007153382.tif 000004